(57)【要約】【課題】  演奏者の演奏の円滑性を損なうことなく、精度良く運指データを取得することができる鍵盤楽器を提供する。【解決手段】  非接触に情報の書き込みおよび読み取りが可能なＲＦＩＤタグを、鍵盤楽器の演奏者の各指の爪に固定する。鍵盤楽器は、各鍵の近傍のＲＦＩＤタグとの間で非接触通信を行うリーダライタ７２を有している。鍵盤楽器におけるＣＰＵ１は、初期設定処理において、このリーダライタ７２により、所定の鍵を押下している指に固定されたＲＦＩＤタグに固有の識別情報を書き込む。そして、演奏者による鍵盤楽器の演奏時、ＣＰＵ１は、鍵盤楽器において操作されている鍵の近傍のＲＦＩＤタグの識別情報をリーダライタ７２により読み取り、当該鍵を操作している指を表す運指データをＲＡＭ３に書き込む。【選択図】      図１
2006317612.tif 000002
【特許請求の範囲】
【請求項１】
鍵盤と、
記憶手段と、
前記鍵盤の各鍵の近傍のタグとの間で情報の授受を行う非接触通信手段と、
前記非接触通信手段により前記鍵盤の特定の鍵の近傍にあるタグに特定の指に対応した識別情報を書き込む初期設定処理を行うとともに、前記非接触通信手段により前記鍵盤の任意の鍵の近傍のタグから識別情報を読み取って当該鍵を操作している指を表す運指データを前記記憶手段に書き込む記録処理を行う制御手段と
を具備することを特徴とする鍵盤楽器。
【請求項２】
前記制御手段は、前記記録処理において鍵の操作を示すイベントデータを前記鍵盤から取得して前記記憶手段に書き込むものであり、前記イベントデータとしてキーオンイベントが取得された場合に、前記非接触通信手段により当該キーオンイベントに対応した鍵の近傍のタグから識別情報を読み取って前記運指データを前記記憶手段に書き込むことを特徴とする請求項１に記載の鍵盤楽器。
【請求項３】
前記非接触通信手段は、前記鍵盤の各鍵の内部または周囲に設けられたアンテナを有し、これらのアンテナを介して前記タグと情報の授受を行うことを特徴とする請求項１または２に記載の鍵盤楽器。
【請求項４】
前記制御手段は、前記非接触通信手段により前記タグからの受信電界強度を監視し、キーオンイベントが取得された場合には、当該キーオンイベントの発生箇所である鍵の近傍における受信電界強度の時間勾配に基づき、当該鍵の押鍵速度を算出して前記記憶手段に書き込むことを特徴とする請求項１〜３のいずれか１の請求項に記載の鍵盤楽器。
【請求項５】
非接触に情報の書き込みおよび読み取りが可能なタグを演奏者の各指の先端部分に固定する過程と、
各指に固定された各タグに対し、各指に固有の識別情報を書き込む過程と、
演奏者による鍵盤楽器の演奏時、前記鍵盤楽器において操作されている鍵の近傍のタグの識別情報を読み取り、当該鍵を操作している指を表す運指データを記憶手段に書き込む過程と
を具備することを特徴とする運指データの記録方法。
【発明の詳細な説明】
【技術分野】
【０００１】
本発明は、鍵盤楽器および運指データの記録方法に関する。
【背景技術】
【０００２】
鍵盤演奏の際に発生する押鍵、離鍵などの操作イベントを検出するとともに、各鍵がどの指で操作されているかを検出し、運指データとして記録する技術が各種提案されている。例えば特許文献１に開示された技術では、演奏者は、指先に指電極の設けられた演奏用手袋を手に装着して、鍵盤電子楽器の演奏を行う。この鍵盤電子楽器の各鍵には鍵電極が設けられている。鍵盤演奏時、ユーザがある指である鍵を押下すると、演奏用手袋における当該指の指電極と押下鍵の鍵電極とが導通し、これにより、どの鍵がどの指により押下されたかが検出される。また、特許文献２に開示された技術では、演奏者の両手指全体および指先をそれぞれ撮像し、これにより得られる運指画像および指先画像にそれぞれ画像認識処理を施す。そして、運指画像から演奏者の両手指を各々識別するとともに、どの鍵が操作されているかを抽出し、指先画像から鍵操作をしている指を抽出する。
【特許文献１】特開平５−１１７５５号公報
【特許文献２】特開２００２−２１５１３９号公報
【発明の開示】
【発明が解決しようとする課題】
【０００３】
ところで、上述した特許文献１に開示の技術は、運指データを得るための鍵盤演奏の際、演奏者は演奏用手袋を両手に装着しなければならず、円滑な鍵盤演奏を行うのが困難であるという問題があった。また、この特許文献１の技術において、鍵盤電子楽器と演奏用手袋との間には、指電極からの電気信号を鍵盤電子楽器内の回路に伝送するための導線が介在しており、この導線が鍵盤演奏の邪魔になるという問題があった。さらに、特許文献１に開示の技術は、鍵盤演奏時、演奏者の指と鍵との間に指電極が挟まり、これも演奏の邪魔になるという問題があった。また、特許文献２に開示の技術は、画像処理により押鍵操作をした指を判断するので、演奏時に演奏者に違和感を与えることはないが、画像処理では指の検出精度を得るのが困難であるという問題がある。
【０００４】
この発明は、以上説明した事情に鑑みてなされたものであり、演奏者の演奏の円滑性を損なうことなく、精度良く運指データを取得することができる鍵盤楽器および運指データの記録方法を提供することを目的とする。
【課題を解決するための手段】
【０００５】
この発明では、非接触に情報の書き込みおよび読み取りが可能なタグを、鍵盤楽器の演奏者の各指の先端部分に固定し、各指に固定された各タグに対し、各指に固有の識別情報を書き込む。好ましい態様において、鍵盤楽器は、各鍵の近傍のタグとの間で非接触通信を行う非接触通信手段を有している。鍵盤楽器における制御手段は、初期設定処理において、この非接触通信手段により、所定の鍵を押下している指に固定されたタグに固有の識別情報を書き込む。そして、演奏者による鍵盤楽器の演奏時、鍵盤楽器における制御手段は、鍵盤楽器において操作されている鍵の近傍のタグの識別情報を非接触通信手段により読み取り、当該鍵を操作している指を表す運指データを記憶手段に書き込む。
かかる発明によれば、演奏者の演奏の円滑性を損なうことなく、精度良く運指データを取得し、記憶手段に記録することができる。
【発明を実施するための最良の形態】
【０００６】
以下、図面を参照し、本発明の実施の形態について説明する。
図１は、この発明の一実施形態である鍵盤楽器の構成を示すブロック図である。図１において、ＣＰＵ１は、この鍵盤楽器の各部を制御する装置である。ＲＯＭ２は、ＣＰＵ１により実行される各種の制御プログラムや同プログラムの実行時に参照される各種の制御データを記憶した読み出し専用メモリである。ＲＡＭ３は、ＣＰＵ１によりワークエリアとして使用される。ユーザインタフェース４は、液晶ディスプレイなどによる表示部と各種の操作スイッチが配備された操作パネルとにより構成されている。ＣＰＵ１は、このユーザインタフェース４を介して各種の案内情報をユーザに提供するとともに、ユーザから各種のコマンドを受け取る。音源５は、ＣＰＵ１による制御の下、楽音信号を形成する装置である。この音源５により形成された楽音信号は、サウンドシステム６により楽音として出力される。鍵盤７は、キースイッチ回路７１と、リーダライタ７２とを有している。
【０００７】
図２は、鍵盤７およびこの鍵盤７の操作を行うユーザの手を例示する平面図である。また、図３は図２のＩ−Ｉ’線断面図である。図２に示すように、鍵盤７は、通常の鍵盤楽器と同様、横一列に配列された複数の白鍵７３および黒鍵７４を有する。図３に示すように、鍵盤７における各鍵の下方には、図１におけるキースイッチ回路７１を構成するスイッチ部７７が設けられている。好ましい態様において、１個の鍵に対応したスイッチ部７７は、鍵の下部に設けられた可動部７６が第１および第２の高度位置を通過する各タイミングにおいて第１および第２の検出信号を出力する。ＣＰＵ１は、このスイッチ部７７から出力される第１および第２の検出信号を監視することにより、各鍵のキーオンイベントまたはキーオフイベントの発生を検知するとともに、キーオンの際の押鍵速度を検知する。そして、ＣＰＵ１は、キーオンイベント、キーオフイベントに応じて、音源５による楽音信号の形成処理を制御する。
【０００８】
また、本実施形態に係る鍵盤楽器は、キーオンイベント、キーオフイベントといった情報の他に、押鍵を行った指に関する情報を含む演奏データの記録を行うことができる。以下、この演奏データの記録のために設けられた装置の構成を説明する。まず、本実施形態では、演奏記録を望むユーザは、演奏に先立って、１０個のＲＦＩＤタグ８を図２に示すように自分の１０本の指の爪に接着剤などにより貼り付ける。一方、鍵盤７の各鍵７３、７４の表面の近傍には、図３に示すようにアンテナ７５が埋め込まれている。図１におけるリーダライタ７２は、ＣＰＵ１による制御の下、これらのアンテナ７５を介して、ユーザの指の爪に固定されたＲＦＩＤタグ８との間で非接触通信を行い、ＲＦＩＤタグ８に対する情報の書き込み、ＲＦＩＤタグ８からの情報の読み取りを行う装置である。本実施形態において、１個の鍵に埋め込まれたアンテナ７５の通信可能圏は、図４において破線７８で例示するように、その鍵の上方にある比較的狭い範囲に限定されている。従って、リーダライタ７２がある鍵のアンテナ７５を介して非接触通信を行うことが可能なのは、その鍵を操作している指に固定されたＲＦＩＤタグ８のみであり、他の鍵を操作している指に固定されたＲＦＩＤタグと非接触通信を行うことはない。
【０００９】
本実施形態においてＣＰＵ１は、演奏記録に先立ち、ユーザインタフェース４を介して与えられるコマンドに従い、初期設定処理を行う。この初期設定処理では、ユーザの１０本の指の爪に貼り付けられた１０個のＲＦＩＤタグ８に対し、各々が固定された指の識別情報である指番号を書き込む。さらに詳述すると、初期設定処理においてユーザは、図２に示すキーコードＣ４、Ｄ４、Ｅ４、Ｆ４、Ｇ４の各鍵を右手の親指、人差し指、中指、薬指、小指により各々押下し、キーコードＢ３、Ａ３、Ｇ３、Ｆ３、Ｅ３の各鍵を左手の親指、人差し指、中指、薬指、小指により各々押下する。初期設定処理では、この各鍵の押下の際、ある鍵が押下されたときには、その押下された鍵を判定し、その鍵に設けられたアンテナ７５によりその鍵を押下している指の爪に固定されたＲＦＩＤタグ８にその指を表す指番号を書き込むのである。そして、運指データの記録の際には、ＣＰＵ１は、キーオンイベントが検知される度に、リーダライタ７２により、そのキーオンイベントの発生元である鍵を押下している指に固定されたＲＦＩＤタグ８から指番号を読み取り、演奏データの一要素である運指データを生成するのである。
【００１０】
次に本実施形態の動作について説明する。ユーザインタフェース４を介して初期設定処理を指示するコマンドが入力されると、ＣＰＵ１は、図５に示すルーチンを実行する。まず、ＣＰＵ１は、１０本の指に対応した初期設定フラグＦＬＧ（ｋ）（ｋ＝１〜１０）の内容を全て“０”に設定する（ステップＳ１０１）。各初期設定フラグＦＬＧ（ｋ）は、指番号がｋである指の爪に固定されたＲＦＩＤタグ８に対して指番号ｋの書き込みを行ったか否かを示すフラグであり、この段階では、書き込み未了であることを示す“０”が初期設定フラグＦＬＧ（ｋ）（ｋ＝１〜１０）に書き込まれる。次にＣＰＵ１は、キースイッチ回路７１の各スイッチ部７７を走査し、キーオンイベントが発生したか否かを判断する（ステップＳ１０２）。この判断結果が「ＮＯ」である場合、ＣＰＵ１は、ステップＳ１０２の判断を繰り返す。そして、キースイッチ回路７１を介してキーオンイベントが検出され、ステップＳ１０２の判断結果が「ＹＥＳ」になると、ＣＰＵ１は、キーオンイベントの発生した鍵のキーコードをレジスタＫＣＤに格納する（ステップＳ１０３）。
【００１１】
次にＣＰＵ１は、予め記憶したキーコード配列ＩＫＣＤ（ｋ）（ｋ＝１〜１０）とレジスタＫＣＤの内容とを比較して、ステップＳ１０４の判断を行う。さらに詳述すると、本実施形態では、ユーザの右手の親指から小指までの各指に指番号ｋ＝１〜５が各々割り当てられ、左手の親指から小指までの各指に指番号ｋ＝６〜１０が割り当てられている。そして、キーコード配列ＩＫＣＤ（ｋ）（ｋ＝１〜１０）には、以下列挙するように、図２におけるＣ４からＧ４までの各キーコードおよびＢ３からＥ３までの各キーコード、すなわち、初期設定処理の際にユーザが１０本の各指で押下すべき各鍵のキーコードが予め格納されている。
ＩＫＣＤ（１）＝Ｃ４      ＩＫＣＤ（６）＝Ｂ３
ＩＫＣＤ（２）＝Ｄ４      ＩＫＣＤ（７）＝Ａ３
ＩＫＣＤ（３）＝Ｅ４      ＩＫＣＤ（８）＝Ｇ３
ＩＫＣＤ（４）＝Ｆ４      ＩＫＣＤ（９）＝Ｆ３
ＩＫＣＤ（５）＝Ｇ４      ＩＫＣＤ（１０）＝Ｅ３
【００１２】
ステップＳ１０４では、このキーコード配列ＩＫＣＤ（ｋ）（ｋ＝１〜１０）の中にレジスタＫＣＤの内容と一致するものがあるか否かが判断されるのである。そして、ステップＳ１０４の判断結果が「ＮＯ」である場合、ＣＰＵ１は、ステップＳ１０２に戻り、次のキーオンイベントの発生まで待機する。ユーザによって押下された鍵が初期設定において押下すべき鍵ではなかったからである。
【００１３】
一方、キーコード配列ＩＫＣＤ（ｋ）（ｋ＝１〜１０）の中のある要素ＩＫＣＤ（ｋ）がレジスタＫＣＤの内容と一致しており、ステップＳ１０４の判断結果が「ＹＥＳ」となった場合、ＣＰＵ１は、その配列要素ＩＫＣＤ（ｋ）と、書き込み指令をリーダライタ７２に与える。これによりリーダライタ７２は、配列要素ＩＫＣＤ（ｋ）が示すキーコードに対応した鍵に埋め込まれたアンテナ７５を選択し、そのアンテナ７５から書き込み指令および指番号ｋが重畳された無線信号を出力する。この結果、そのアンテナ７５が埋め込まれている鍵を押下している指のＲＦＩＤタグ８に指番号ｋが書き込まれる。そして、ＣＰＵ１は、指番号ｋに対応した初期設定フラグＦＬＧ（ｋ）に対し、“１”を設定する（以上、ステップＳ１０５）。
【００１４】
ステップＳ１０５が終了すると、ＣＰＵ１は、初期設定フラグＦＬＧ（ｋ）（ｋ＝１〜１０）が全て“１”になったか否かを判断する（ステップＳ１０６）。この判断結果が「ＮＯ」である場合、ＣＰＵ１は、ステップＳ１０２に戻り、次のキーオンイベントの発生まで待機する。一方、ステップＳ１０６の判断結果が「ＹＥＳ」である場合、ＣＰＵ１は、初期設定処理を終了する。
【００１５】
以上の処理により、図２におけるキーコードＣ４からＧ４までの各鍵を押下した各指の各ＲＦＩＤタグ８に指番号ｋ＝１〜５が各々書き込まれ、キーコードＢ３からＥ３までの各鍵を押下した各指の各ＲＦＩＤタグ８に指番号ｋ＝６〜１０が各々書き込まれることとなる。
【００１６】
その後、ユーザインタフェース４を介して演奏の記録を指示するコマンドが入力されると、ＣＰＵ１は、図６に示す記録処理のルーチンを実行する。まず、ＣＰＵ１は、キースイッチ回路７１等の状態を走査し、何らかのイベントが発生したか否かを判断する（ステップＳ２０１）。そして、ＣＰＵ１は、何らかのイベントが検知されるまで、このステップＳ２０１の判断を繰り返す。
【００１７】
何らかのイベントがステップＳ２０１において検知されると、ＣＰＵ１は、ステップＳ２０２においてイベントの種別を判断する。検知されたイベントがキーオンイベントである場合、ＣＰＵ１は、そのキーオンイベントの発生元である鍵のキーコードをレジスタＫＣＤに格納するとともに、キースイッチ回路７１により取得した押鍵速度をレジスタＶＥＬに格納する（ステップＳ２０３）。次にＣＰＵ１は、発音処理を実行する（ステップＳ２０４）。この発音処理においてＣＰＵ１は、レジスタＫＣＤおよびＶＥＬの内容を発音指示とともに音源５に送る。これにより、レジスタＫＣＤにより示される音高を有し、かつ、レジスタＶＥＬにより示されるアタック強度を持った楽音信号が音源５により出力される。
【００１８】
次にＣＰＵ１は、レジスタＫＣＤ内のキーコードと指番号の読み取り指令をリーダライタ７２に送る（ステップＳ２０５）。これによりリーダライタ７２は、ＣＰＵ１から受け取ったキーコードに対応した鍵に埋め込まれたアンテナ７５により、その鍵を押下している指のＲＦＩＤタグ８から指番号を読み取り、読み取った指番号をＣＰＵ１に送る。次にＣＰＵ１は、キーオンイベントの発生タイミングを示すタイミングデータと、演奏イベントの内容を示す情報、すなわち、ステップＳ２０３において取得したキーコードおよび押鍵速度と、ステップＳ２０５において取得した指番号とを含む演奏データを作成し、これをＲＡＭ３に書き込む（ステップＳ２０６）。そして、ステップＳ２０１に戻り、新たなイベントが発生するまで待機する。なお、タイミングデータの表現形式として、先行する他の演奏イベントから当該演奏イベントの発生時刻までの経過時間を示すデュレーションデータと、演奏開始からの当該演奏イベントまでの経過時間を示す絶対時間データとがあるが、いずれの形式のタイミングデータを用いてもよい。この種のタイミングデータの発生方法は、一般的な演奏記録機能を有する楽器において採用されているものと変わるところがないので説明を省略する。
【００１９】
キーオフイベントが検知された場合、ＣＰＵ１の処理はステップＳ２０１およびＳ２０２を介してステップＳ２０７に進む。このステップＳ２０７においてＣＰＵ１は、キーオフイベントの発生元である鍵のキーコードをレジスタＫＣＤに格納する。次にＣＰＵ１は、消音処理を実行し、レジスタＫＣＤ内のキーコードと消音指示を音源５に送る（ステップＳ２０８）。これにより、音源５では、ＣＰＵ１から指示されたキーコードに該当する楽音信号を停止させる。次にＣＰＵ１は、キーオフイベントの発生タイミングを示すタイミングデータと、ステップＳ２０８において取得したキーコードとを含む演奏データ（ノートオフイベントデータ）を作成し、このデータをＲＡＭ３に書き込む（ステップＳ２０９）。そして、ステップＳ２０１に戻り、新たなイベントが発生するまで待機する。
【００２０】
図示しない音色指定スイッチの操作などの他のイベントが検知された場合には、ＣＰＵ１の処理は、ステップＳ２０１およびＳ２０２を介して、ステップＳ２１０に進み、そのイベントに対応した処理が実行され、再びステップＳ２０１に戻る。
【００２１】
以上のようにして、何らかのイベントが検知される都度、ステップＳ２０２以降の処理が実行され、指番号を含む演奏データの記録が行われる。そして、例えばユーザインタフェース４に対する所定の操作など、演奏終了を示すイベントが検知されることにより、図６に示す記録処理が終了する。
【００２２】
以上のように本実施形態によれば、演奏時に鍵を押下している指のＲＦＩＤタグ８からその指の指番号を読み取られ、指番号を含む演奏データ、すなわち、運指データの内在した演奏データの記録が行われる。従って、画像認識などに比べて、高い精度で運指操作を検知し、運指データの記録を行うことができる。しかも、この運指データの記録の際、ＲＦＩＤタグ８は、ユーザの指の爪に貼り付けられているので、ユーザの鍵盤演奏の邪魔にならない。また、本実施形態によれば、ユーザは、ＲＦＩＤタグ８を各指の爪に貼り付けた後、所定の押鍵操作をすることにより、各指の指番号をＲＦＩＤタグ８に書き込むことができる。従って、ユーザは、各指に固定するＲＦＩＤタグ８を選択する必要がなく、任意のＲＦＩＤタグ８を任意の指に固定すればよい。
【００２３】
以上、本発明の一実施形態について説明したが、本発明にはこれら以外にも各種の実施形態が考えられる。例えば次の通りである。
（１）上記実施形態では、ＲＦＩＤタグ８と非接触通信を行うためのアンテナ７５を鍵の表面近くに埋め込んだが、鍵の動きを妨げないように、鍵の周囲をアンテナ７５により囲ってもよい。
【００２４】
（２）押下された鍵に設けられたアンテナ７５により複数のＲＦＩＤタグ８からの無線信号が受信される場合もあり得る。その際には、指番号の決定方法として次のものが考えられる。第１の方法では、押下鍵のアンテナ７５により受信された複数のＲＦＩＤタグ８からの無線信号のうち最も受信電界強度の高いものを選択し、その無線信号に重畳された指番号を検出する。第２の方法では、それまでに得られた運指データを参照し、押下された鍵の左右の鍵がどの指により押下されたかを求め、複数のＲＦＩＤタグ８から読み取った指番号のうちそれらの指と重複しないものの指番号を選択する。
【００２５】
第３の方法では、１つの鍵に設けられたアンテナ７５により複数のＲＦＩＤタグ８からの無線信号が受信されたときに、その左右の鍵のアンテナ７５により受信動作を行わせ、３個の鍵の各アンテナにおける各無線信号の受信電界強度の分布に基づき、真ん中の鍵を押下している指の指番号を求める。
【００２６】
図７はその具体的動作例を示すものである。この例では、キーコードＤ４の鍵のキーオンイベントが検出されたため、その鍵のアンテナ７５を動作させたところ、３種類の指番号「２」、「３」、「４」が受信された。そこで、ＣＰＵ１は、例えばキーコードＤ４の鍵の左右両側のキーコードＣ４およびＥ４の各鍵のアンテナ７５を動作させ、両アンテナにより近傍のＲＦＩＤタグ８の指番号を読み取らせた。この結果、図７に示すような各指番号の受信電界強度が得られた。
【００２７】
この例において、指番号「２」の無線信号は、キーコードＣ４の鍵の近傍での受信電界強度が最も高く、キーコードＤ４の鍵の近傍での受信電界強度はそれより低く、キーコードＥ４の鍵の近傍では受信されていない。従って、指番号「２」の発信源であるＲＦＩＤタグ８は、キーコードＤ４の鍵よりは、むしろキーコードＣ４の鍵の近くにあると考えられる。また、指番号「４」の無線信号は、キーコードＥ４の鍵の近傍での受信電界強度が最も高く、キーコードＤ４の鍵の近傍での受信電界強度はそれより低く、キーコードＣ４の鍵の近傍では受信されていない。従って、指番号「４」の発信源であるＲＦＩＤタグ８は、キーコードＤ４の鍵よりは、むしろキーコードＥ４の鍵の近くにあると考えられる。
【００２８】
これに対し、指番号「３」の無線信号は、キーコードＤ４の鍵の近傍において受信電界強度がピークとなっている。従って、指番号「３」の発信源であるＲＦＩＤタグ８は、左右方向に並んだ３個の鍵の中では真ん中の押下鍵（キーコードＤ４）に最も近い位置にあると考えられる。そこで、この例では、押下鍵の位置において受信電界強度がピークとなっている指番号「３」がその鍵を押下している指であると判定するのである。
【００２９】
（３）上記実施形態では、ＲＦＩＤタグ８を指の爪に固定したが、ＲＦＩＤタグ８の固定箇所は指の先端部分であればよく、例えば指の腹付近でもよい。
【００３０】
（４）上記実施形態では、鍵盤に設けられたスイッチ部７７により押鍵速度を検知した。しかし、このスイッチ部７７は、単にキーオンイベント、キーオフイベントの検出のみに用い、押鍵速度は他の手段により求めるようにしてもよい。この場合の押鍵速度の検出手段として、ＲＦＩＤタグ８を利用したものが考えられる。すなわち、ＣＰＵ１は、リーダライタ７２によりＲＦＩＤタグ８からの受信電界強度を常時監視し、キーオンイベントがあった場合には、そのキーオンイベントの発生箇所である鍵の近傍におけるＲＦＩＤタグ８からの受信電界強度の時間勾配を演算し、この受信電界強度の時間勾配から押鍵速度を算出し、ＲＡＭ３に記録するのである。この態様によれば、鍵盤が押鍵速度を算出する機構を有していない場合においても、押鍵速度を求め、演奏データとして記録することができるという効果が得られる。
【図面の簡単な説明】
【００３１】
【図１】この発明の一実施形態である鍵盤楽器の構成を示すブロック図である。
【図２】同実施形態における鍵盤とこの鍵盤を操作しているユーザの手を示す平面図である。
【図３】同実施形態における鍵盤の構成を示す断面図である。
【図４】同実施形態におけるアンテナの通信可能圏を例示する図である。
【図５】同実施形態における初期設定処理の内容を示すフローチャートである。
【図６】同実施形態における記録処理の内容を示すフローチャートである。
【図７】この発明の他の実施形態における鍵を押下している指の判定方法を例示する図である。
【符号の説明】
【００３２】
１…ＣＰＵ、２…ＲＯＭ、３…ＲＡＭ、４…ユーザインタフェース、５…音源、６…サウンドシステム、７…鍵盤、７１…キースイッチ回路、７２…リーダライタ、８…ＲＦＩＤタグ。
【図１】
2006317612.tif 000003
【図２】
2006317612.tif 000004
【図３】
2006317612.tif 000005
【図４】
2006317612.tif 000006
【図５】
2006317612.tif 000007
【図６】
2006317612.tif 000008
【図７】
2006317612.tif 000009